(57)【特許請求の範囲】
【請求項１】
商品に対して貼り付けられる貼付物において、
前記商品に対して付加される情報を示す付加情報と、環状に形成されていて前記付加情報を囲う囲部とを有するベース部と、
前記囲部から離間して配置されている所定の形状のマークを有し、前記商品に対して貼り付けられる情報コードと前記付加情報との関連付けを有効とする一方向に沿って前記ベース部から突出する突出部と、
を備え、
前記囲部及び前記マークの少なくとも一部の周囲には、余白領域が設けられている、
ことを特徴とする貼付物。
【請求項２】
前記マークは、所定の形状により当該貼付物が貼り付けられていることを表す、
ことを特徴とする請求項１記載の貼付物。
【請求項３】
前記突出部における前記マークが付与された部分には切取線が形成されており、当該切取線を境界として前記マークを切り離せる、
ことを特徴とする請求項１または２記載の貼付物。
【請求項４】
前記ベース部の背景の色、前記囲部の色、および前記付加情報の色は、それぞれ別の色である、
ことを特徴とする請求項１ないし３の何れか一記載の貼付物。 
【発明の詳細な説明】
【技術分野】
【０００１】
本発明の実施形態は、貼付物に関する。
【背景技術】
【０００２】
従来、撮影された画像データから、商品に付与された情報コードと値引き情報等の情報とを読み取る情報読取装置が知られている。
【発明の概要】
【発明が解決しようとする課題】
【０００３】
この種の情報読取装置では、情報コードと情報との関連付けをより精度良く把握することが望まれている。
【課題を解決するための手段】
【０００４】
実施形態の貼付物は、商品に対して貼り付けられる貼付物において、前記商品に対して付加される情報を示す付加情報と、環状に形成されていて前記付加情報を囲う囲部とを有するベース部と、前記囲部から離間して配置されている所定の形状のマークを有し、前記商品に対して貼り付けられる情報コードと前記付加情報との関連付けを有効とする一方向に沿って前記ベース部から突出する突出部と、を備え、前記囲部及び前記マークの少なくとも一部の周囲には、余白領域が設けられている。
【図面の簡単な説明】
【０００５】
【図１】図１は、実施形態にかかる情報読取装置を含む商品販売情報処理システムの概略構成の一例が示された図である。
【図２】図２は、実施形態にかかる情報読取装置としてのＰＯＳ端末の一例が示されたブロック図である。
【図３】図３は、実施形態にかかる情報読取装置としてのＰＯＳ端末のＣＰＵの一例が示されたブロック図である。
【図４】図４は、実施形態にかかる情報読取装置で読み取られる情報コードおよび情報が付与された商品の一例が示された概略図である。
【図５】図５は、実施形態にかかる情報読取装置のスキャナで情報コードおよび情報が読み取られる際の商品の移動が示された概念図である。
【図６】図６は、実施形態にかかる情報読取装置による情報コードおよび情報の読み取りに関連する演算処理の一例が示されたフローチャートである。
【図７】図７は、実施形態にかかる情報読取装置による情報コードと情報との対応判断を例示する図であって、情報コードと情報とが対応していると判断される一例が示された図である。
【図８】図８は、実施形態にかかる情報読取装置による情報コードと情報との対応判断を例示する図であって、情報コードと情報とが対応していないと判断される一例が示された図である。
【図９】図９は、実施形態にかかる情報読取装置による情報コードと情報との対応判断を例示する図であって、情報コードと情報とが対応していると判断される別の一例が示された図である。
【図１０】図１０は、実施形態にかかる情報読取装置で用いられる貼付物の変形例が示された図である。
【図１１】図１１は、実施形態にかかる情報読取装置で用いられる貼付物の変形例が示された図である。
【図１２】図１２は、実施形態にかかる情報読取装置で用いられる貼付物の変形例が示された図である。
【図１３】図１３は、実施形態にかかる情報読取装置で用いられる貼付物の変形例が示された図である。
【図１４】図１４は、実施形態にかかる情報読取装置で用いられる貼付物の変形例が示された図である。
【図１５】図１５は、実施形態にかかる情報読取装置で用いられる貼付物の変形例が示された図である。
【発明を実施するための形態】
【０００６】
図１に示されるように、一実施形態では、商品販売情報処理システム１は、店舗システムとして構成され、ストアサーバ２とＰＯＳ（Point Of Sales）端末３とを含んでいる。ストアサーバ２とＰＯＳ端末３とは、ＬＡＮ（Local Area Network）等の電気通信回線４を介して電気的に接続されている。
【０００７】
また、図２に示されるように、ＰＯＳ端末３は、ＣＰＵ（Central Processing Unit）３１や、ＲＯＭ（Read Only Memory）３２ａ、ＲＡＭ（Random Access Memory）３２ｂ、時計部３２ｃ、Ｉ／Ｏ（Input/Output）ポート３２ｄ、ネットワークインタフェース３２ｇ、キーボードコントローラ３２ｈ、タッチパネルコントローラ３２ｉ、ディスプレイコントローラ３２ｊ、プリンタコントローラ３２ｋ、スキャナコントローラ３２ｍ，３２ｎ、記憶装置コントローラ３２ｐ等を、備えている。図２に示されるように、これら各構成要素は、アドレスバス、データバス等のバスライン３２ｑを介して相互に接続されている。ＰＯＳ端末３は、情報読取装置、ならびに商品販売情報処理装置の一例である。
【０００８】
ＣＰＵ３１は、ＲＯＭ３２ａ等に記憶されたコンピュータ読み取り可能な各種プログラムを実行することにより、ＰＯＳ端末３を制御する。ＲＯＭ３２ａは、ＣＰＵ３１が実行する各種データや、各種プログラム（ＢＩＯＳプログラム、アプリケーションプログラム、デバイスドライバプログラム等）等を記憶する。ＲＡＭ３２ｂは、ＣＰＵ３１が各種プログラムを実行する際に一時的にデータやプログラムを記憶する。
【０００９】
本実施形態では、ＰＯＳ端末３用のプログラムに、バーコードスキャナ３３ｆやＣＣＤスキャナ３３ｇ等の撮像部で撮影された画像データを受けるモジュール、前処理を行うモジュール、撮影された画像データから情報コードに対応する第一の画像データを特定するモジュール、撮影された画像データから貼付物に対応する第二の画像データを特定するモジュール、特定された第一の画像データと第二の画像データとが対応するか否かを判断するモジュール、情報コードを読み取るモジュール、貼付物に表示された情報を読み取るモジュール、販売登録を行うモジュール、決済を行うモジュール等が、含まれる。よって、ＰＯＳ端末３のＣＰＵ３１は、プログラムにしたがって、図３に示されるように、画像データ受部３１ａや、前処理部３１ｂ、第一の画像データ特定部３１ｃ、第二の画像データ特定部３１ｄ、対応判断部３１ｅ、情報コード特定部３１ｆ、情報特定部３１ｇ、販売登録部３１ｈ、決済部３１ｉ等として動作する。
【００１０】
また、時計部３２ｃは、現在の日時を計時する。Ｉ／Ｏポート３２ｄは、モードスイッチ３２ｅからのモード選択信号を入力するとともにドロワ（図示せず）の引出しを自動開放させるドロワ開放装置３２ｆに信号を出力する。ネットワークインタフェース（Ｉ／Ｆ）３２ｇは、電気通信回線４等を通じて接続される他の装置とのデータ通信を制御する。キーボードコントローラ３２ｈは、キーボード３３ａから操作キーに対応したキー信号を受けてＣＰＵ３１に送る。タッチパネルコントローラ３２ｉは、客用のディスプレイ３３ｃを制御して、ＣＰＵ３１から受け取ったデータに対応した画像等を表示させるとともに、ディスプレイ３３ｃに設けられたタッチパネルセンサ３３ｂからの信号を受けてＣＰＵ３１に送る。ディスプレイコントローラ３２ｊは、オペレータ用のディスプレイ３３ｄを制御して、ＣＰＵ３１から受け取ったデータに対応した画像等を表示させる。プリンタコントローラ３２ｋは、レシート／ジャーナル（Ｒ／Ｊ）プリンタ３３ｅを制御し、ＣＰＵ３１から供給されるデータに基づいてレシート印字およびジャーナル印字を行わせる。スキャナコントローラ３２ｍ，３２ｎは、バーコードスキャナ３３ｆあるいはＣＣＤスキャナ３３ｇが読み取ったデータの信号を受けてＣＰＵ３１へ送る。バーコードスキャナ３３ｆおよびＣＣＤスキャナ３３ｇは、撮像部（撮像素子、撮像手段）の一例である。
【００１１】
記憶装置コントローラ３２ｐは、ＣＰＵ３１からの指示信号に基づいて不揮発性の記憶部としての記憶装置３３ｈに対するデータの書き込みおよび読み出しを制御する。記憶装置３３ｈは、ＯＳ（Operating System）プログラムや、アプリケーションプログラム、デバイスドライバプログラム等の他、各種のデータを記憶する。
【００１２】
また、ＣＣＤスキャナ３３ｇは、例えば図４に示されるように商品５０に付与された情報コード５１（例えば一次元コード等）や貼付物５２を読み取る。図５の例では、ＣＣＤスキャナ３３ｇは、オペレータがＣＣＤスキャナ３３ｇの手前側（図５紙面手前側）で例えば図５の左側から右側へ通過させた商品５０の情報コード５１および貼付物５２を読み取る。
【００１３】
貼付物５２は、例えば、台紙等のシートの裏面に塗布された接着剤等によって商品５０の表面に貼り付けられ、具体的には、値引きシールやポイントシール等として構成される。図４に示されるように、貼付物５２には、付加情報（情報）５４と、画像５３とが含まれている。
【００１４】
付加情報５４は、商品５０や店舗やメーカのサービス等に関する情報である。また、付加情報５４は、商品５０に貼付物５２が貼り付けられることによって付加される情報である。付加情報５４は、例えば、文字や、数字、画像、情報コード等であることができる。また、付加情報５４は、オペレータや、店員、客等が視覚的に判別できることが望ましい。付加情報５４は、例えば、値引き対象の商品５０であること、値引き額、ポイント付与対象の商品であること、ポイントの値等を、示すことができる。
【００１５】
画像５３は、付加情報５４とは別の画像である。画像５３は、一例として、画像処理によって、貼付物５２（付加情報５４）と情報コード５１との対応付けを特定しやすくする機能を有することができる。また、画像５３は、一例として、視覚的に貼付物５２を目立たせる機能を有することもできる。また、本実施形態では、画像５３は、一例として、囲部５３ａと、延部５３ｂとを含んでいる。囲部５３ａは、付加情報５４を囲っている。囲部５３ａは、例えば、環状（円環状や矩形環状）に形成されることができる。また、囲部５３ａには、一箇所以上の切欠を設けることができる。さらに、囲部５３ａは、点線あるいは破線等の線であることができる。また、本実施形態では、一例として、囲部５３ａの内縁は鋸歯状に形成されている。
【００１６】
延部５３ｂは、一方向に沿って延びている。本実施形態では、延部５３ｂは、一例として、囲部５３ａから一方に向けて三角形状に突出した突起である。本実施形態では、延部５３ｂの幅は一方側に向かうにつれて狭くなっている。また、延部５３ｂは、尖端部５３ｃを有している。
【００１７】
また、画像５３は、延部５３ｂの中心線としての直線Ｌに対して線対称に形成されている。直線Ｌは、例えば、画像５３および貼付物５２の中心を通ることができる。画像５３（特に延部５３ｂ）は、貼付物５２に対して関連する情報コード５１が存在する方向を示す方向提示画像の一例である。
【００１８】
また、貼付物５２は、ベース部５２ａと、突出部５２ｂとを有する。ベース部５２ａは、商品に関する付加情報５４および囲部５３ａを含む。突出部５２ｂは、ベース部５２ａから突出する。突出部５２ｂには、画像５３の延部５３ｂが表示される。よって、作業者（店員や客等）は、貼付物５２を、情報コード５１との対応付け（貼付物５２に対応する情報コード５１が存在する方向）を視覚的に判断しやすい状態に、貼り付けやすい。また、ＣＰＵ３１は、画像処理したデータ上で、情報コード５１と画像５３および付加情報５４との対応付けを判断しやすい。
【００１９】
また、画像５３および付加情報５４は、例えば、貼付物５２中の画像５３および付加情報５４の背景とのコントラストが顕著な色や濃度で着色される。また、画像５３および付加情報５４は、例えば、相互に重なり合わないように（隙間ができるように）配置される。貼付物５２の背景の色、画像５３の色、および付加情報５４の文字の色は、それぞれ別の色とすることができる。具体的には、例えば、貼付物５２の背景の色を黄色、画像５３の色を赤色、付加情報５４の文字の色を青色とすることができる。
【００２０】
さらに、画像５３の延部５３ｂの外縁と貼付物５２の突出部５２ｂの外縁との間には余白領域ｇが設けられている。これにより、図４に示されるように、貼付物５２と情報コード５１とが重なり合った場合にあっても、画像処理において画像５３と情報コード５１の画像とを分けて認識されやすいという利点がある。
【００２１】
ここで、図６を参照して、本実施形態にかかるＰＯＳ端末３での情報コード５１、画像５３および付加情報５４の読み取りに関連する演算処理の一例について説明する。なお、図６は、撮像部としてのＣＣＤスキャナ３３ｇでその撮像領域の画素情報が取得された一タイミングでのフローチャートである。
【００２２】
まず、ＰＯＳ端末３のＣＰＵ３１は、画像データ受部３１ａとして動作し、撮像部としてのＣＣＤスキャナ３３ｇを制御して、例えば、当該ＣＣＤスキャナ３３ｇの撮像領域内の全ての画素の画像データ（輝度値データ）を受け取る（ステップＳ１）。
【００２３】
次に、ＣＰＵ３１は、前処理部３１ｂとして動作し、画像データに所定の画像処理（次のステップＳ３で所定の画像を特定するための前処理）を施す（ステップＳ２）。このステップＳ２での前処理には、例えば、二値化や、フィルタリング、穴埋め（クロージング）、グルーピング（二値化された値（例えば「０」または「１」）が同じ隣接あるいは近接した画素または画素ブロックを同一のグループとすること）、ラベリング（各グループに、ラベル（例えば通し番号）を付与すること）等が含まれる。
【００２４】
ステップＳ２〜ステップＳ７の処理は、例えば、相互に隣接した複数の画素の集合体として格子状に配列された単一形状（例えば正方形状）の画素ブロック（図示せず）を対象として、実行されうる。その場合、第一の画像データ特定部３１ｃとして動作するＣＰＵ３１は、このステップＳ２で、上記前処理に先立って、画素ブロックを構成する複数の画素の輝度値の合計値や平均値等（画素ブロックに対応したブロックデータ）を算出しておき、上記画像処理をブロックデータに対して行うことができる。これにより、画素単位で画像処理を行う場合に比べて、ＰＯＳ端末３のＣＰＵ３１の演算の負荷を軽減することができる。
【００２５】
次に、第一の画像データ特定部３１ｃとして動作するＣＰＵ３１は、情報コード５１に対応した所定の条件を満たす画像データ（第一の画像データ）の有無を調べる（ステップＳ３）。このステップＳ３では、第一の画像データ特定部３１ｃは、情報コード（図５の例では一次元コード）５１に対応する画像データとして、例えば、情報コード５１の一部あるいは全部の形状に対応する画像データの有無を調べる。具体的には、例えば、画像処理が比較的大きな画素ブロックを対象として実行される場合、図７に示されるように、情報コード５１に対応した第一の画像データ（同一のグループに区分けされた画素または画素ブロックの群）Ｄ１は、一次元コードとしての情報コード５１の複数のバーがぼやけた長方形状となる。よって、第一の画像データ特定部３１ｃは、情報コード５１の全体的な長方形の形状に対応する第一の画像データＤ１を特定（検出、抽出）することができる。あるいは、例えば、画像処理が比較的小さな画素ブロックや画素自体を対象として実行される場合、第一の画像データ特定部３１ｃは、一次元コードとしての情報コード５１に含まれる特徴的な一つあるいは複数のバーを特定（検出、抽出）することもできる。
【００２６】
ステップＳ３で第一の画像データＤ１が特定されなかった場合（ステップＳ４でＮｏ）、ＣＰＵ３１は、このタイミングでの演算処理を終了する。
【００２７】
一方、ステップＳ４で第一の画像データＤ１が特定された場合（ステップＳ３の処理で、条件に合致した第一の画像データＤ１があった場合、ステップＳ４でＹｅｓ）、ＣＰＵ３１は、第二の画像データ特定部３１ｄとして動作し、貼付物５２に対応した所定の条件を満たす画像データ（第二の画像データ）の有無を調べる（ステップＳ５）。このステップＳ５では、第二の画像データ特定部３１ｄは、貼付物５２に対応する画像データとして、例えば、画像５３の一部あるいは全部の形状に対応する第二の画像データの有無を調べる。具体的には、例えば、画像５３に対応した第二の画像データＤ２は、図７に示されるように、囲部５３ａに対応した円環状の部分Ｄ２ａと、円環状の部分Ｄ２ａから径外方向に突出した延部５３ｂに対応した突起状の部分Ｄ２ｂと、を有する形状であるため、第二の画像データ特定部３１ｄは、当該形状を有した第二の画像データＤ２を特定することができる。第二の画像データ特定部３１ｄは、一例として、記憶装置３３ｈに予め記憶されているパターン形状との一致度合い（一致率、不一致率等）を調べることで、第二の画像データＤ２を特定（検出、抽出）することができる。
【００２８】
ステップＳ５で第二の画像データＤ２が特定された場合（ステップＳ６でＹｅｓ）、ＣＰＵ３１は、対応判断部３１ｅとして動作し、第一の画像データＤ１と第二の画像データＤ２とが対応しているか否か、すなわち第一の画像データＤ１に対応する情報コード５１と第二の画像データＤ２に対する画像５３とが対応しているか否かの判断を行う（ステップＳ７）。
【００２９】
ステップＳ７では、対応判断部３１ｅは、一例として、撮像部としてのＣＣＤスキャナ３３ｇによる撮像領域の各画素が二次元配置された二次元座標（撮像領域に対応した直交座標平面）上で、画像５３に対応する第二の画像データＤ２を構成する各画素のデータ（例えば、各画素の二値化された「０」または「１」のデータのうち、画像に対応する「１」のデータ）について、回帰分析（例えば最小二乗近似等）によって、それら第二の画像データＤ２を構成する各画素からの座標上の距離の合計が最小となる直線Ｌを算出し、画像５３（特に、方向提示画像としての延部５３ｂ）によって示される方向を検出することができる。すなわち、対応判断部３１ｅは、第一の画像データＤ１（例えばその一部）が、直線Ｌ上、あるいは直線Ｌより所定距離以内にある場合に、当該第一の画像データＤ１と、直線Ｌを算出した元となる第二の画像データＤ２と、が対応すると判断することができる。なお、対応判断部３１ｅは、直線Ｌのうち、画像５３の重心Ｍに対して突起状の部分Ｄ２ｂの反対側となる領域を対象外とすることもできる。
【００３０】
ステップＳ７で、対応判断部３１ｅは、図７および図９に示されるように、第一の画像データＤ１が直線Ｌ上あるいは直線Ｌから一定距離以内に存在する場合に、第一の画像データＤ１と第二の画像データＤ２とが対応していると判断する。一方、対応判断部３１ｅは、図８に示されるように、第一の画像データＤ１が直線Ｌ上あるいは直線Ｌから一定距離以内に存在しない場合には、第一の画像データＤ１と第二の画像データＤ２とが対応していないと判断する。
【００３１】
なお、図７に示されるように、第一の画像データＤ１と第二の画像データＤ２とが部分的に重なり合っている場合もある。そこで、対応判断部３１ｅは、対応判断を行う前に、画像の縮小処理等を行うことで、二つの画像Ｄ１，Ｄ２を区別できるようにすることができる。また、図４に示されるように、余白領域ｇを設けることで、貼付物５２が情報コード５１上に貼付された場合にあっても、余白領域ｇによって二つの画像Ｄ１，Ｄ２が区別して認識されるようにすることも可能である。
【００３２】
ステップＳ５で第二の画像データＤ２が抽出できなかった場合（ステップＳ６でＮｏ）、およびステップＳ７で第一の画像データＤ１と第二の画像データＤ２とが対応していないと判断した場合（ステップＳ８でＮｏ）、ＣＰＵ３１は、情報コード特定部３１ｆとして動作して、第一の画像データＤ１に対応した情報コード５１の特定を実行する（ステップＳ１１）。
【００３３】
一方、ステップＳ７で第一の画像データＤ１と第二の画像データＤ２とが対応していると判断した場合（ステップＳ８でＹｅｓ）、ＣＰＵ３１は、第一の画像データＤ１と第二の画像データＤ２とが対応していることを示す情報を記憶装置３３ｈに記憶することにより、それらの関連付けを行う（ステップＳ９）。そして、ＣＰＵ３１は、情報特定部３１ｇとして動作して、第二の画像データＤ２に対応した付加情報５４の特定を実行するとともに（ステップＳ１０）、情報コード特定部３１ｆとして動作して、第一の画像データＤ１に対応した情報コード５１の特定を実行する（ステップＳ１１）。ステップＳ１０で、ＣＰＵ３１は、ＯＣＲ（Optical Character Recognition）を実行し、付加情報５４の内容を得る。
【００３４】
そして、ＣＰＵ３１は、販売登録部３１ｈおよび決済部３１ｉとして動作し、読み取った情報コード５１を記憶装置３３ｈに追加して登録するとともに、全ての商品５０についての登録処理が完了した後、決済（現金や、電子マネー、クレジットカード等による決済）処理を実行する。ＣＰＵ３１は、登録処理に際しては、情報コード５１に対応した付加情報５４の内容（値引きやポイント付与等）を反映させる。
【００３５】
以上、説明したように、本実施形態では、付加情報５４を示す商品５０の貼付物５２が、画像５３を有した。よって、一例としては、ＣＰＵ３１における撮影された画像データの画像処理において、座標上で貼付物５２（に対応する画像データ、第二の画像データ）に対して関連する情報コード５１（に対応する画像データ、第一の画像データ）が存在する方向が判別されやすくなる。よって、一例としては、画像処理において、情報コード５１と付加情報５４との関連付けが、より精度良くあるいはより容易に把握されやすくなる。また、貼付物５２に延部５３ｂを含む画像５３が表示されることで、貼付物５２を商品５０に貼り付ける作業者が、この延部５３ｂによって情報コード５１に対する貼付物５２の貼付位置を決めやすくなるという利点もある。
【００３６】
また、本実施形態では、画像５３に対して対応する情報コード５１が存在する方向は、画像５３の画像データに対する回帰分析（例えば、最小二乗近似等）によって得られた直線Ｌに沿った方向である。よって、一例としては、画像処理において、画像５３の画像データの形状的な特徴に基づいて、情報コード５１と付加情報５４との関連付けが、より精度良くあるいはより容易に把握されやすくなる。
【００３７】
また、本実施形態では、画像５３は、略線対称形状に形成されている。また、本実施形態では、画像５３は、延部５３ｂを有している。よって、一例としては、画像処理において、画像５３の画像データから直線Ｌが得られやすくなる。よって、一例としては、情報コード５１と付加情報５４との関連付けがより精度良くあるいはより容易に把握されやすくなる。また、一例としては、画像処理において、付加情報５４と情報コード５１との対応付けの判別に用いる直線Ｌを特定しやすくなる。よって、一例としては、画像処理において、情報コード５１と付加情報５４との関連付けが、より一層精度良くあるいはより一層容易に把握されやすくなる。
【００３８】
また、本実施形態では、延部５３ｂの幅は、一方向に向かうほど狭い。また、本実施形態では、延部５３ｂは、尖端部５３ｃを有する。よって、一例としては、画像処理において、この幅の変化により、直線Ｌの一方側（一例としては幅が狭い側）を有効とし、他方側（一例としては幅が広い側）を無効とすることができるので、情報コード５１と付加情報５４との関連付けが、より精度良くあるいはより容易に把握されやすくなる。
【００３９】
また、本実施形態では、貼付物５２には、画像５３の少なくとも一部の周囲に余白領域ｇが設けられている。よって、画像処理において、画像５３と情報コード５１とが分離されやすくなる。よって、一例としては、画像処理において、情報コード５１と付加情報５４との関連付けが、より精度良くあるいはより容易に把握されやすくなる。
【００４０】
また、本実施形態では、画像５３は、付加情報５４を囲う囲部５３ａを有している。よって、一例としては、画像処理において、付加情報５４の領域が特定されやすくなる。
【００４１】
以上、本発明の好適な実施形態について説明したが、本発明は上記実施形態には限定されず、種々の変形が可能である。
【００４２】
例えば、画像５３の延部５３ｂは、上記実施形態には限定されず、例えば、図１０に示されるように、幅が変化しない線状の画像としてもよいし、図１１に示されるように、矢印状の画像としてもよい。
【００４３】
また、図１２に示されるように、画像５３は、付加情報５４の部分的な背景となる背景部分５３ｄと、延部５３ｂと、を有することができる。また、画像５３は、囲部５３ａと背景部分５３ｄとを両方有することもできる。
【００４４】
また、図１３〜１５の変形例に示されるように、画像５３は、マーク５３ｅを有することができる。これらの変形例では、マーク５３ｅは、一例として、囲部５３ａと離間して配置され、多重円（この例では二重円）として形成されている。ただし、図１３〜１５はあくまで一例であって、マーク５３ｅは、任意の所定の形状（例えば、星形、四角形、三角形、矩形環状、矩形の多重環状等）として形成することができる。これら変形例の場合も、上記実施形態と同様、画像処理において、囲部５３ａの画像データとマーク５３ｅの画像データから、画像５３に対して情報コード５１の対応付けを有効とする方向を得ることができる。一例としては、囲部５３ａおよびマーク５３ｅの画像データを構成する各画素のデータ（例えば、各画素の二値化された「０」または「１」のデータのうち、画像に対応する「１」のデータ）について、回帰分析（例えば最小二乗近似等）によって、それら画像５３を構成する各画素からの座標上の距離の合計が最小となる直線Ｌを算出し、画像５３によって示される方向を検出することができる。なお、貼付物５２のうち、マーク５３ｅが付与された部分５２ｃは、切取線（ミシン目等）５２ｄを境界として、突出部５２ｂから切り離すことができる。また、マーク５３ｅは、貼付物５２が貼り付けられていることを表すことができる。よって、人（オペレータ、客等）あるいは情報読取装置（ＰＯＳ端末３等）は、このマーク５３ｅの有無によって、処理（値引き操作や、上述した画像処理、演算処理等）の要否を判別しやすくなる。また、マーク５３ｅが付与された部分５２ｃが切取線５２ｄを境界として貼付物５２から分離された場合、貼付物５２のうち、付加情報５４を含む部分としてのベース部５２ａとマーク５３ｅが付与された部分５２ｃとを、離間して配置することができる。したがって、商品５０における付加情報５４を含む部分の貼付位置の自由度を高めやすくなる。
【００４５】
また、各構成要素（情報読取装置、商品販売処理システム、商品販売情報処理装置、ＰＯＳ端末、撮像部、商品、情報コード、情報、貼付物、画像、方向提示画像等）のスペック（方式や、構造、形状、大きさ、配置、位置、個数、画素数等）は、適宜に変更して実施することができる。
【００４６】
上記実施形態にかかる情報読取装置によれば、情報コードと貼付物に表示された商品に関する情報との関連付けをより精度良く把握することができる。
【符号の説明】
【００４７】
３  ＰＯＳ端末（情報読取装置、商品販売情報処理装置）
３１ｃ  第一の画像データ特定部
３１ｄ  第二の画像データ特定部
３１ｅ  対応判断部
３１ｆ  情報コード特定部
３１ｇ  情報特定部
３１ｈ  販売登録部
３１ｉ  決済部
５０  商品
５１  情報コード
５２  貼付物
５３  画像（方向提示画像）
５３ａ  囲部
５３ｂ  延部（方向提示画像）
５３ｅ  マーク
５４  情報
Ｄ１  第一の画像データ
Ｄ２  第二の画像データ
【先行技術文献】
【特許文献】
【００４８】
【特許文献１】特開２００８−３３６４０号
【図１】
0005521086.tif 000002
【図２】
0005521086.tif 000003
【図３】
0005521086.tif 000004
【図４】
0005521086.tif 000005
【図５】
0005521086.tif 000006
【図６】
0005521086.tif 000007
【図７】
0005521086.tif 000008
【図８】
0005521086.tif 000009
【図９】
0005521086.tif 000010
【図１０】
0005521086.tif 000011
【図１１】
0005521086.tif 000012
【図１２】
0005521086.tif 000013
【図１３】
0005521086.tif 000014
【図１４】
0005521086.tif 000015
【図１５】
0005521086.tif 000016